(57)【要約】【課題】ＣＡＴＶ放送を１台のセットトップボックスから複数台のＴＶ受像機にＲＦ信号で再配信するための適切な方法およびセットトップボックスを提供する。【解決手段】ＣＡＴＶ放送局１１１からの放送サービスに適用するチャンネルプランをこの放送局から放送サービスの受給者側への信号伝送に用いる一の周波数帯域が特定の他の周波数帯域を除く周波数帯域となるように設定し、帯域通過フィルタをかけた放送信号を送出し、放送サービスの受給者側のセットトップボックス５１０では、上記特定の他の周波数帯域を用いて再送信信号を生成し、自己の入力端に該他の周波数帯域の帯域通過フィルタを通して多重化して送出し、この入力端に並列に接続された複数台のＴＶ受像機（代表的にＴＶ（Ａ））にＲＦ信号で再配信する。【選択図】図１
2007158986.tif 000002
【特許請求の範囲】
【請求項１】
ケーブルテレビジョンの放送局からの放送サービスに適用する周波数帯のチャンネルプランを該放送局から放送サービスの受給者側への信号伝送に用いる一の周波数帯域が特定の他の周波数帯域を除く周波数帯域となるように設定し、前記放送局から放送サービスの信号を送出するに際して前記他の周波数帯域の信号の通過を制限する帯域通過フィルタを通して実効的に前記一の周波数帯域を限定的に利用した放送サービスを行い、この放送サービスの受給者側のセットトップボックスでは、自己の受信端に供給された信号による前記放送サービスのうちから選局し再生した一の放送について前記他の周波数帯域に該当する周波数帯域の搬送波を用いた再送信信号を形成し、この再送信信号を前記他の周波数帯域に該当する周波数帯域を通過帯域とする帯域通過フィルタを通して前記受信端において前記放送サービスの信号に多重するように供給して、前記受信端に対して並列に各自己のＲＦ信号受信端が接続される１台以上のテレビジョン信号受信装置に該再送信信号による放送を配信可能にすることを特徴とするケーブルテレビジョン放送配信方法。
【請求項２】
ケーブルテレビジョンの放送局から所定の周波数帯の搬送波を用いて送出される放送サービスを受給者側のセットトップボックスで受信し、前記セットトップボックスの受信端に供給される放送サービスの信号に対して全域走査よるチャンネル走査を実行して前記放送サービスに適用される第１群のチャンネル周波数帯域と前記放送サービスに適用されない第２群のチャンネル周波数帯域とを識別し、前記受信端に供給される信号による放送サービスのうちから選局し再生した一の放送について前記第２群のチャンネルの周波数帯域に該当する周波数帯域の搬送波を用いた再送信信号を形成し、この再送信信号を前記受信端において前記放送サービスの信号に多重するように供給して、前記受信端に対し並列に各自己のＲＦ信号受信端が接続される１台以上のテレビジョン信号受信装置に該再送信信号による放送を配信可能にすることを特徴とするケーブルテレビジョン放送配信方法。
【請求項３】
ケーブルテレビジョンの放送局から所定のチャンネルプランによる周波数帯の放送サービスの信号が供給される受信端と、前記受信端に供給された信号による前記放送サービスのうちから一の放送を選局し再生する選局再生部と、前記選局再生部により再生された一のベースバンドの放送信号について前記チャンネルプランにおける空きチャンネルの周波数帯域に該当する周波数帯域の搬送波を用いた再送信信号を形成する再送信信号形成部と、前記再送信信号形成部から出力される再送信信号を前記空きチャンネルの周波数帯域に該当する周波数帯域を通過帯域とする帯域通過フィルタを通して前記受信端において前記放送サービスの信号に多重する再送信信号多重部と、を含んで構成されていることを特徴とするセットトップボックス。
【請求項４】
ケーブルテレビジョンの放送局から所定の周波数帯の搬送波を用いた放送サービスの信号が供給される受信端と、前記受信端に供給される信号に対して全域走査よるチャンネル走査を実行して前記放送サービスに適用される第１群のチャンネル周波数帯域と前記放送サービスに適用されない第２群のチャンネル周波数帯域とを識別するチャンネル利用状況探索部と、前記受信端に供給された信号による放送サービスのうちから一の放送を選局し再生する選局再生部と、前記選局再生部により再生された一のベースバンドの放送信号について前記チャンネル利用状況探索部で識別された第２群のチャンネルの周波数帯域に該当する周波数帯域の搬送波を用いた再送信信号を形成する再送信信号形成部と、前記再送信信号形成部から出力される再送信信号を前記受信端において前記放送サービスの信号に多重する再送信信号多重部と、を含んで構成されていることを特徴とするセットトップボックス。
【発明の詳細な説明】
【技術分野】
【０００１】
本発明は、ケーブルテレビジョン放送配信方法およびこの方法の実施に適用するセットトップボックスに関し、特に、ケーブルテレビジョンの放送局からの送信方法を工夫すると共に放送サービスの受給者側のセットトップボックスとして特定のものを適用することによって、単一のセットトップボックスから複数台のテレビジョン信号受信装置に放送サービスを再配信することを可能にする方法およびこの方法の実施に用いられるセットトップボックスに関する。
【背景技術】
【０００２】
ケーブルテレビジョン（以下、適宜、ＣＡＴＶという）は、嘗ては、山間部や人口密度の低い地域等で地上波テレビジョン放送の受信が困難であるような状況下でも放送サービスの視聴を可能にするために適用されることが多かった。しかし、近年、衛星放送を含む多チャンネルの放送サービス視聴できるといったメリットから、都市部においても普及しつつあり、また複数の放送サービスの受給者が集中している状況では受信設備に要するコストを低減できる等のメリットも期待できることから近郊地域の集合住宅においても加入者が増加しつつある。
【０００３】
通常、ＣＡＴＶ放送サービスの各受給者側にはセットトップボックスが設置され、このセットトップボックスで、その受信端にケーブルによって供給される多チャンネルの放送信号に対する選局が行われ、このようにして選局された放送がセットトップボックスの出力端に接続されたテレビジョン信号受信装置に供給される。
現在用いられているアナログＣＡＴＶ放送サービスでは、家庭内に引き込まれるＣＡＴＶの信号ケーブルは１本で、このケーブルで供給される放送信号を家庭内への入り口でブースターアンプを用いて増幅した後、分配器で複数のテレビジョン受像機に供給する。
【０００４】
分配数は所望に応じて増やせるが、その数に相応したブースターアンプでの電力増幅が必要になる。ここに用いられる分配器は、一般に、入出力間を一定の電力で信号伝送する双方向伝送路であり、信号の分配および加算が可能である。
一方、デジタルＣＡＴＶにおけるデジタル放送規格は６４ＱＡＭ変調によるとされており、ＢＳ放送やそのＣＡＴＶ放送局独自の番組などを再送信する場合にも一旦復調再生したデジタル信号を、送信所において６４ＱＡＭに再変調(トランスモジュレーション：Trans Modulation)して、適当な空きチャンネルの周波数を用いて送信している。
【０００５】
また、併せて周波数パススルー方式でパススルーした地上デジタルテレビジョン放送のＯＦＤＭ変調信号なども多重することができ、これらの信号はＣＡＴＶ放送サービス毎のチャンネルプランにより、互いに重ならないように周波数が割り当てられる。
しかしながら、このようなトランスモジュレーションによる信号が適用されるとアナログチャンネル用の装置では受信ができなくなり、家庭内の各テレビジョン受像機毎にデジタルセットトップボックスを備えなければならない。
【０００６】
テレビジョン受像機本体との比較においても安価とは言えないセットトップボックスを各テレビジョン受像機毎に設けるといったことは、テレビジョン受像機の数が多くなると視聴者にとってはその負担に堪えるものではない。家庭内に設置された単一のセットトップボックスから複数台のテレビジョン受像機に対してＣＡＴＶ放送を再配信することができるようにすれば上述のような問題は解決されることになるが、このような再配信を行う技術も一応提案されている（特許文献１参照）。
【０００７】
この提案では、或る単一のセットトップボックスから近傍にある１台のテレビジョン受像機に直接に映像音声信号を供給すると共に、この映像音声のベースバンドの信号をＲＦコンバータを用いてＲＦ信号に変換し、ＲＦ混合器によってテレビジョン信号供給用ケーブルに多重して、遠隔地にある複数のテレビジョン受像機に供給する（再配信する）ようにしている。
【０００８】
この提案の場合、送受信制御装置を設けて、遠隔地のユーザ（そのユーザにおけるテレビジョン受像機）のチャンネル変更などの制御要求を受け付けた後、該制御要求に従ってセットトップボックスへ制御信号を発する。
【特許文献１】特許公開２００２−３５４４５０号公報（段落００２７〜段落００３１、図１、図２、図３）
【発明の開示】
【発明が解決しようとする課題】
【０００９】
上述した既提案のセットトップボックスを用いたシステムでは、映像音声のベースバンドの信号をＲＦコンバータを用いてＲＦ信号に変換し、ＲＦ混合器によってテレビジョン信号供給用ケーブルに多重して、遠隔地にある複数のテレビジョン受像機に供給するに際して、これら遠隔地にある複数のテレビジョン受像機にケーブルテレビジョン放送局から供給される信号と上記の多重された信号とが適切に分離可能に設定される必要がある。
【００１０】
しかしながら、上述の提案では、その必要性がある（これは当然である）との認識は示されるも、そのための具体的な技術的方策について何等の示唆もなされてはいない。
本発明は上述のような事情に鑑みてなされたものであり、単一のセットトップボックスから複数台のテレビジョン信号受信装置に放送サービスを配信する方法およびこの方法の実施に用いられるセットトップボックスに関し、特に、セットトップボックスからの再送信信号を適切に放送サービスの信号に多重することを可能にする新規且つ具体的な技術を提供することを目的としている。
【課題を解決するための手段】
【００１１】
上記課題を解決するべく、本願では次に列記するような技術を提案する。
（１）ケーブルテレビジョンの放送局からの放送サービスに適用する周波数帯のチャンネルプランを該放送局から放送サービスの受給者側への信号伝送に用いる一の周波数帯域が特定の他の周波数帯域を除く周波数帯域となるように設定し、前記放送局から放送サービスの信号を送出するに際して前記他の周波数帯域の信号の通過を制限する帯域通過フィルタを通して実効的に前記一の周波数帯域を限定的に利用した放送サービスを行い、この放送サービスの受給者側のセットトップボックスでは、自己の受信端に供給された信号による前記放送サービスのうちから選局し再生した一の放送について前記他の周波数帯域に該当する周波数帯域の搬送波を用いた再送信信号を形成し、この再送信信号を前記他の周波数帯域に該当する周波数帯域を通過帯域とする帯域通過フィルタを通して前記受信端において前記放送サービスの信号に多重するように供給して、前記受信端に対して並列に各自己のＲＦ信号受信端が接続される１台以上のテレビジョン信号受信装置に該再送信信号による放送を配信可能にすることを特徴とするケーブルテレビジョン放送配信方法。
【００１２】
上記（１）のケーブルテレビジョン放送配信方法では、ケーブルテレビジョンの放送局からの放送サービスに適用する周波数帯のチャンネルプランをこの放送局から放送サービスの受給者側への信号伝送に用いる一の周波数帯域が特定の他の周波数帯域を除く周波数帯域となるように設定しておく。
放送局から放送サービスの信号を送出するに際しては、前記他の周波数帯域の信号の通過を制限する帯域通過フィルタを通して実効的に前記一の周波数帯域を限定的に利用した放送サービスを行うようにする。
【００１３】
一方、放送サービスの受給者側のセットトップボックスでは、自己の受信端に供給された信号による前記一の周波数帯域による放送サービスのうちから選局し再生した一の放送について前記他の周波数帯域に該当する周波数帯域の搬送波を用いた再送信信号を形成する。
このようにして形成した再送信信号を前記他の周波数帯域に該当する周波数帯域を通過帯域とする帯域通過フィルタを通して前記受信端において前記放送サービスの信号に多重するように供給する。
【００１４】
上記のようにして再送信信号を放送サービスの信号に多重して供給することにより、セットトップボックスの受信端に対して並列に各自己のＲＦ信号受信端が接続される１台以上のテレビジョン信号受信装置（即ち、セットトップボックスと並列に放送信号の分配を受ける１台以上のテレビジョン信号受信装置）に該再送信信号による放送を配信可能にする。
従って、単一のセットトップボックスによって受信・再生される例えばＢＳ放送のような放送を複数台のテレビジョン信号受信装置で視聴乃至記録することが可能になる。
【００１５】
（２）ケーブルテレビジョンの放送局から所定の周波数帯の搬送波を用いて送出される放送サービスを受給者側のセットトップボックスで受信し、自己の受信端に供給される放送サービスの信号に対して全域走査よるチャンネル走査を実行して前記放送サービスに適用される第１群のチャンネル周波数帯域と前記放送サービスに適用されない第２群のチャンネル周波数帯域とを識別し、前記受信端に供給された信号による放送サービスのうちから選局し再生した一の放送について前記第２群のチャンネルの周波数帯域に該当する周波数帯域の搬送波を用いた再送信信号を形成し、この再送信信号を前記受信端において前記放送サービスの信号に多重するように供給して、前記受信端に対し並列に各自己のＲＦ信号受信端が接続される１台以上のテレビジョン信号受信装置に該再送信信号による放送を配信可能にすることを特徴とするケーブルテレビジョン放送配信方法。
【００１６】
上記（２）のケーブルテレビジョン放送配信方法では、ケーブルテレビジョンの放送局から所定の周波数帯の搬送波を用いて送出される放送サービスを受給者側のセットトップボックスで受信し、このセットトップボックスの受信端に供給される放送サービスの信号に対して全域走査よるチャンネル走査を実行する。
この全域走査よるチャンネル走査によって放送サービスに適用される第１群のチャンネル周波数帯域と前記放送サービスに適用されない第２群のチャンネル周波数帯域とを識別し、セットトップボックスの受信端に供給される信号による放送サービスのうちから選局し再生した一の放送について前記第２群のチャンネルの周波数帯域に該当する周波数帯域の搬送波を用いた再送信信号を形成する。
【００１７】
この再送信信号を前記受信端において前記放送サービスの信号に多重するように供給する。このようにして再送信信号を放送サービスの信号に多重して供給することにより、セットトップボックスの受信端に対して並列に各自己のＲＦ信号受信端が接続される１台以上のテレビジョン信号受信装置（即ち、セットトップボックスと並列に放送信号の分配を受ける１台以上のテレビジョン信号受信装置）に該再送信信号による放送を配信可能にする。
従って、単一のセットトップボックスによって受信・再生される例えばＢＳ放送のような放送を複数台のテレビジョン信号受信装置で視聴乃至記録することが可能になる。
【００１８】
（３）ケーブルテレビジョンの放送局から所定のチャンネルプランによる周波数帯の放送サービスの信号が供給される受信端と、前記受信端に供給された信号による前記放送サービスのうちから一の放送を選局し再生する選局再生部と、前記選局再生部により再生された一のベースバンドの放送信号について前記チャンネルプランにおける空きチャンネルの周波数帯域に該当する周波数帯域の搬送波を用いた再送信信号を形成する再送信信号形成部と、前記再送信信号形成部から出力される再送信信号を前記空きチャンネルの周波数帯域に該当する周波数帯域を通過帯域とする帯域通過フィルタを通して前記受信端において前記放送サービスの信号に多重する再送信信号多重部と、を含んで構成されていることを特徴とするセットトップボックス。
【００１９】
上記（３）のセットトップボックスでは、その受信端で、ケーブルテレビジョンの放送局から供給される所定のチャンネルプランによる周波数帯の放送サービスの信号を受け、選局再生部で前記受信端に供給された信号による前記放送サービスのうちから一の放送を選局し再生する。
再送信信号形成部では、前記選局再生部により再生された一のベースバンドの放送信号について前記チャンネルプランにおける空きチャンネルの周波数帯域に該当する周波数帯域の搬送波を用いた再送信信号を形成する。
【００２０】
再送信信号多重部では、前記再送信信号形成部から出力される再送信信号を前記空きチャンネルの周波数帯域に該当する周波数帯域を通過帯域とする帯域通過フィルタを通して前記受信端において前記放送サービスの信号に多重する。
従って、このような単一のセットトップボックスによって受信・再生される例えばＢＳ放送のような放送が前記放送サービスの信号に多重されて複数台のテレビジョン信号受信装置に分配され得るため、これらのテレビジョン信号受信装置で視聴乃至記録することが可能になる。
【００２１】
（４）ケーブルテレビジョンの放送局から所定の周波数帯の搬送波を用いた放送サービスの信号が供給される受信端と、前記受信端に供給される信号に対して全域走査よるチャンネル走査を実行して前記放送サービスに適用される第１群のチャンネル周波数帯域と前記放送サービスに適用されない第２群のチャンネル周波数帯域とを識別するチャンネル利用状況探索部と、前記受信端に供給された信号による放送サービスのうちから一の放送を選局し再生する選局再生部と、前記選局再生部により再生された一のベースバンドの放送信号について前記チャンネル利用状況探索部で識別された第２群のチャンネルの周波数帯域に該当する周波数帯域の搬送波を用いた再送信信号を形成する再送信信号形成部と、前記再送信信号形成部から出力される再送信信号を前記受信端において前記放送サービスの信号に多重する再送信信号多重部と、を含んで構成されていることを特徴とするセットトップボックス。
【００２２】
上記（４）のセットトップボックスでは、その受信端で、ケーブルテレビジョンの放送局から供給される所定の周波数帯の搬送波を用いた放送サービスの信号を受けるが、チャンネル利用状況探索部により、前記の受信端に供給される信号に対して全域走査よるチャンネル走査を実行して前記放送サービスに適用される第１群のチャンネル周波数帯域と前記放送サービスに適用されない第２群のチャンネル周波数帯域とを識別する。
【００２３】
選局再生部によって、前記受信端に供給された信号による放送サービスのうちから一の放送を選局し再生し、再送信信号形成部によって、該再生された一のベースバンドの放送信号について前記チャンネル利用状況探索部で識別された第２群のチャンネルの周波数帯域に該当する周波数帯域の搬送波を用いた再送信信号を形成する。
再送信信号多重部によって、この再送信信号形成部から出力される再送信信号を前記受信端において前記放送サービスの信号に多重する。
【００２４】
従って、このような単一のセットトップボックスによって受信・再生される例えばＢＳ放送のような放送が前記放送サービスの信号に多重されて複数台のテレビジョン信号受信装置に分配され得るため、これらのテレビジョン信号受信装置で視聴乃至記録することが可能になる。
【発明を実施するための最良の形態】
【００２５】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのケーブルテレビジョン放送配信方法を表す概念図である。
【００２６】
図１において、ケーブルテレビジョンの放送局（ＣＡＴＶ放送局）１１０から送出される放送サービスの信号がブースターアンプ２１０に供給され、このブースターアンプ２１０で増幅された信号が、分配器３１０によって分配され、実線ＲＬ１で図示のようにテレビジョン信号受信装置としてのテレビジョン受像機（Ａ）（図ではＴＶ（Ａ）と表記）４１０と、実線ＲＬ２で図示のようにデジタルセットトップボックス（図ではデジタルＳＴＢと表記）５１０とに夫々供給される。
【００２７】
デジタルＳＴＢ５１０には、その出力端にテレビジョン信号受信装置としてのテレビジョン受像機（Ｂ）（図ではＴＶ（Ｂ）と表記）４２０が接続されている。後述するように、このデジタルＳＴＢ５１０の入力端には実線ＲＬ２で図示のようにブースターアンプ２１０を介して放送サービスの信号が供給されるが、この供給に用いられるケーブルに、破線ＤＬ２で図示のようにデジタルＳＴＢ５１０からの再送信信号が多重されて送出され、この多重化された再送信信号が分配器３１０を介して破線ＤＬ１で図示のようにテレビジョン受像機（Ａ）４１０に供給される。
【００２８】
分配器３１０自体はこの種のケーブルテレビジョン放送受信を一般家庭等の放送サービス受給者側において複数台のテレビジョン信号受信装置に分配するために用いられるものと同様の、入出力間を一定の電力で信号伝送する双方向伝送路であり、信号の分配および加算が可能である。既述のように分配数は所望に応じて増やせるが、その数に相応したブースターアンプでの電力増幅が必要になる。
【００２９】
後述するように、本発明の実施の形態では、ここに用いられる分配器を、デジタルＳＴＢ４１０によるアナログ再送信信号を、ブースターアンプ２１０の出力側のケーブルであるＲＦ信号の伝送路の信号へ多重するための加算器としても用いる。
ブースターアンプ２１０、分配器３１０、テレビジョン受像機（Ａ）４１０、テレビジョン受像機（Ｂ）４２０、および、デジタルＳＴＢ５１０は、ＣＡＴＶ放送局１１０から送出される放送サービスの受給者の家屋内に破線にて示すように相対的に近距離に設置されて家庭内システム６１０を構成している。
【００３０】
尚、ブースターアンプ２１０の入出力間はアイソレートされているため、破線ＤＬ２で図示のデジタルＳＴＢ５１０からの多重化再送信信号がこの家庭内システム６１０から外部に漏洩して他の家庭内システムに影響を与えてしまうといった虞はない。
図２は、図１におけるＣＡＴＶ放送局１１０の構成を表すブロック図である。図２において、ＢＳ−ＩＦ（Broadcasting Satellite − Intermediate Frequency）帯の映像信号を生成するＢＳ−ＩＦ発生部１１１で生成された信号は、複数のＴＳ(Transport Stream)の多重化処理を行う複数ＴＳ多重化処理部１１２で多重化され、各該当する６４ＱＡＭ変調部１１３，１１４で６４ＱＡＭ変調信号に変換される。
【００３１】
一方、地上デジタルＲＦ発生部１１５で生成されたＯＦＤＭ変調の映像信号は周波数変換部１１６で周波数変換処理が施される。
上述の６４ＱＡＭ変調部１１３，１１４および周波数変換部１１６の出力は混合処理部１１７で混合され、この混合処理部１１７から帯域通過フィルタ１１８を通して放送サービス用のケーブルで放送サービスの受給者側に送出される。
【００３２】
図３は、図２のＣＡＴＶ放送局から送出されるテレビジョン信号の周波数アロケーションを表す図である。図示の例では、９０ＭＨｚ〜４７０ＭＨｚのＶＨＦ／ＭＩＤ／ＳＨＢ帯の中位以上から４７０ＭＨｚ〜７７０ＭＨｚのＵＨＦ帯の中位域に及んでＢＳ−ＴＭ／ＯＦＤＭパススルーの帯域が設定されている。
即ち、このＢＳ−ＴＭ／ＯＦＤＭパススルーの帯域がケーブルテレビジョン放送サービスの信号の伝送に用いられる第１の周波数帯域１２１をなすものであり、この第１の周波数帯域１２１の信号が放送サービス配信用の伝送路（信号ケーブル）中を伝播する。
【００３３】
一方、本実施の形態では、図示のようにＶＨＦの下位の帯域（ＶＨＦのLow  Band）が敢えて信号制限帯域として割り当てられ、この帯域が、ケーブルテレビジョン放送サービスの信号の伝送には用いられない第２の周波数帯域１２２である。図２を参照して説明した帯域通過フィルタ１１８は、この信号制限帯域（第２の周波数帯域）１２２の信号の通過を阻止する。
【００３４】
図４は、図１中のデジタルＳＴＢの一の実施の形態における構成例を表すブロック図である。既述の実線ＲＬ２で図示のように（分配器３１０を介して）供給される放送サービスの信号が加算器５１１を通して分配器５１２に達し、この分配器５１２で分配されて６４ＱＡＭチューナ５１３とＯＦＤＭチューナ５１４とに夫々入力される。
６４ＱＡＭチューナ５１３は６４ＱＡＭ方式で変調されたデジタルテレビジョン放送信号に関する選局処理を担い、ＯＦＤＭチューナ５１４はＯＦＤＭ方式で変調された地上デジタルテレビジョン放送信号に関する選局処理を担う。
【００３５】
６４ＱＡＭチューナ５１３とＯＦＤＭチューナ５１４との両者は、データ復調の回路形式を異にするが、何れも、受信帯域としてＶＨＦ〜ＵＨＦ帯域（９０ＭＨｚ〜７７０ＭＨｚ）の同じ周波数帯域をカバーしている。
６４ＱＡＭチューナ５１３とＯＦＤＭチューナ５１４とで、各該当する入力信号に対する選局処理が夫々施され、これらの処理による再生信号であるＴＳ(トランスポートストリーム)はデジタル画像処理部５１５でデジタルテレビジョンの信号規格であるＭＰＥＧ２のデコード処理を含む処理を施される。
【００３６】
６４ＱＡＭチューナ５１３およびＯＦＤＭチューナ５１４は、供給された放送サービスの入力信号うちから一の放送を選局し再生処理して再生信号であるＴＳ(トランスポートストリーム)を得る本発明のセットトップボックスの構成要件である選局再生部を構成している。
尚、６４ＱＡＭチューナ５１３およびＯＦＤＭチューナ５１４に加えて、上記デジタル画像処理部５１５を含んでこの選局再生部を構成していると見ることができる。
【００３７】
デジタル画像処理部５１５による上述の処理を施された信号は、一方では映像出力部（１）５１６ａでコンポーネント信号（アナログ信号）として出力され、他方では映像出力部（２）５１６ｂでコンポジット信号（アナログ信号）として出力される。
これらの出力であるコンポーネント信号或いはコンポジット信号が、テレビジョン受像機、パーソナルコンピュータ、ＰＶＲ（Personal Video Recorder）等のテレビジョン信号受信装置の映像入力端子に供給されてそれらの表示画面に映像が表示され或いは媒体に映像が記録されることになる。規格上コンポジット信号の出力端子を設けることは必須である。
【００３８】
映像出力部（２）５１６ｂで形成されるコンポジット信号（アナログ信号）のベースバンドはＲＦモジュレーター５１７で図３の第２の帯域１２２の搬送波によるＲＦ信号（即ち、再送信信号）に変換され、上述の帯域１２２のうちの所定の周波数域を通過帯域とする帯域通過フィルタ５１８を通して加算器５１１に供給される。
加算器５１１では上述のようにして帯域通過フィルタ５１８から供給される再送信信号をその入力端に供給される信号（実線ＲＬ２で図示のもの）に多重化することにより破線ＤＬ２で図示のように送出する。
【００３９】
即ち、ＲＦモジュレーター５１７は既述のチャンネルプランにおける空きチャンネルの周波数帯域に該当する周波数帯域の搬送波を用いた再送信信号を形成する再送信信号形成部を構成し、加算器５１１は再送信信号形成部から出力される再送信信号を前記空きチャンネルの周波数帯域に該当する周波数帯域を通過帯域とする帯域通過フィルタを通して受信端において放送サービスの信号に多重する再送信信号多重部を構成する。
【００４０】
以上、図１、図２、図３、および、図４を参照して説明した本発明のケーブルテレビジョン放送配信方法の一の実施の形態は次のように要約される。
即ち、図３に示されたように、ケーブルテレビジョンの放送局（ＣＡＴＶ放送局）１１０（図２）からの放送サービスに適用する周波数帯のチャンネルプランを、放送局１１０から放送サービスの受給者側への信号伝送に用いる一の周波数帯域（図３の第１の周波数帯域１２１）が特定の他の周波数帯域（図３の信号制限帯域…第２の周波数帯域１２２）を除く周波数帯域となるように設定しておく。
【００４１】
ＣＡＴＶ放送局１１０から放送サービスの信号を送出するに際しては、第２の周波数帯域１２２の信号の通過を制限する帯域通過フィルタ１１８をかけて実効的に第１の周波数帯域１２１を限定的に利用した放送サービスを行うようにする。
一方、放送サービスの受給者側のセットトップボックス５１０では、自己の受信端に供給された信号による第１の周波数帯域１２１による放送サービスのうちから選局し再生した一の放送について第２の周波数帯域１２２に該当する周波数帯域の搬送波を用いた再送信信号を形成する。
【００４２】
このようにして形成した再送信信号を第２の周波数帯域１２２に該当する周波数帯域を通過帯域とする帯域通過フィルタ５１８を通してセットトップボックス５１０の受信端（即ち、図４では加算器５１１）において前記放送サービスの信号に多重するように供給する。
再送信信号を放送サービスの信号に上述のように多重して供給する（即ち、破線ＤＬ２のように外部に再配信する）ことにより、セットトップボックス５１０の受信端に対して並列に各自己のＲＦ信号受信端が接続される１台以上のテレビジョン信号受信装置（即ち、セットトップボックスと並列に放送信号の分配を受ける１台以上のテレビジョン信号受信装置）に該再送信信号による放送を配信可能にする。
【００４３】
従って、単一のセットトップボックス（上記においては５１０）によって受信・再生される例えばＢＳ放送のような放送を複数台のテレビジョン信号受信装置で視聴乃至記録することが可能になる。
一方、図１および図４を参照して説明した本発明のセットトップボックスの一の実施の形態は次のように要約される。
【００４４】
即ち、その受信端（図４の加算器５１１の入力端）で、ケーブルテレビジョンの放送局（ＣＡＴＶ放送局）１１０から供給される所定のチャンネルプラン（図３）による周波数帯の放送サービスの信号（第１の周波数帯域１２１の信号）を受け、選局再生部（５１３、５１４、（５１５））で前記受信端に供給された信号による放送サービスのうちから一の放送を選局し再生する。
【００４５】
再送信信号形成部を構成するＲＦモジュレーター５１７では、選局再生部（５１３、５１４、（５１５））により再生された一のベースバンドの放送信号についてチャンネルプラン（図３）における空きチャンネルの周波数帯域（図３の信号制限帯域…第２の周波数帯域１２２）に該当する周波数帯域の搬送波を用いた再送信信号を形成する。
再送信信号多重部を構成する加算器５１１では、再送信信号形成部（５１７）から出力される再送信信号を空きチャンネルの周波数帯域（１２２）に該当する周波数帯域を通過帯域とする帯域通過フィルタ５１８を通して前記受信端において前記放送サービスの信号に多重する。
【００４６】
従って、このような単一のセットトップボックス（上記においては５１０）によって受信・再生される例えばＢＳ放送のような放送が放送サービスの信号に多重されて複数台のテレビジョン信号受信装置に分配され得るため、これらのテレビジョン信号受信装置で視聴乃至記録することが可能になる。
図５は、図１におけるデジタルＳＴＢの他の構成例を表すブロック図である。図５におけるデジタルＳＴＢの参照符号は５２０とし、既述の図４との各対応部は同一の参照符号を用いて示し、それらの説明は省略するが、図５のものは図４の６４ＱＡＭチューナ５１３およびＯＦＤＭチューナ５１４に替えて６４ＱＡＭ方式の変調信号に対する復調機能とＯＦＤＭ方式の変調信号に対する復調機能とを併せ持った６４ＱＡＭ／ＯＦＤＭ一体型コンビネーションチューナ（以下６４ＱＡＭ／ＯＦＤＭチューナという）５１３ａおよび５１３ｂを各適用している。
【００４７】
これら６４ＱＡＭ／ＯＦＤＭチューナ５１３ａおよび５１３ｂによって同時に２つの放送番組が視聴可能になる。これら６４ＱＡＭ／ＯＦＤＭチューナ５１３ａおよび５１３ｂは、受信端に供給された信号による上述の放送サービスのうちから一の放送を選局し再生する選局再生部を構成する。
６４ＱＡＭ／ＯＦＤＭチューナ５１３ａ（または５１３ｂ）で選局再生された一の放送番組の信号はデジタル画像処理部５１５による、図４について既述の、ＭＰＥＧ２のデコード処理を含む処理を施され、一方では映像出力部（１）５１６ａでコンポーネント信号（アナログ信号）として出力され、他方では映像出力部（２）５１６ｂでコンポジット信号（アナログ信号）として出力される。
【００４８】
これらの出力である一の放送番組のコンポーネント信号或いはコンポジット信号が、テレビジョン受像機、パーソナルコンピュータ、ＰＶＲ（Personal Video Recorder）等のテレビジョン信号受信装置の映像入力端子に供給されてそれらの表示画面に映像が表示されて視聴され或いは媒体に映像が記録されることになる。
同時に、６４ＱＡＭ／ＯＦＤＭチューナ５１３ｂ（または５１３ａ）で選局再生された他の放送番組の信号は、デジタル画像処理部５１５による上述の処理を施され、更に、映像出力部（３）５１６ｃを通して形成されるコンポジット信号（アナログ信号）のベースバンドがＲＦモジュレーター５１７で図３の第２の帯域１２２の搬送波によるＲＦ信号（即ち、再送信信号）に変換され、上述の帯域１２２のうちの所定の周波数域を通過帯域とする帯域通過フィルタ５１８を通して加算器５１１に供給される。
【００４９】
加算器５１１では帯域通過フィルタ５１８から供給される再送信信号をその入力端に供給される信号（実線ＲＬ２で図示のもの）に多重化することにより破線ＤＬ２で図示のように送出する。このようにして送出された信号が自己のＲＦ信号入力端に供給されるように接続されたテレビジョン信号受信装置では、上述の他の放送番組を視聴乃至記録することができる。
【００５０】
６４ＱＡＭ／ＯＦＤＭチューナ５１３ａまたは５１３ｂの何れで選局再生された信号を映像出力部（３）５１６（ｃ）を通してＲＦモジュレーター５１７に供給するかを視聴者の任意によって選択操作可能に構成すれば、映像出力部（１）５１６（ａ）からのコンポーネント信号（アナログ信号）、または、映像出力部（２）５１６（ｂ）からのコンポジット信号（アナログ信号）が供給されるように接続されたテレビジョン受像機のような映像表示器で視聴される放送番組が何れであるかによらず、破線ＤＬ２図示のように再送信される放送が所望のものとして選択され得ることになる。
【００５１】
ＲＦモジュレーター５１７は、既述の選局再生部（５１３ａ、５１３ｂ）により再生された一のベースバンドの放送信号について前記チャンネルプランにおける空きチャンネルの周波数帯域に該当する周波数帯域の搬送波を用いた再送信信号を形成する再送信信号形成部を構成し、加算器５１１は、再送信信号形成部から出力される再送信信号を上記空きチャンネルの周波数帯域に該当する周波数帯域を通過帯域とする帯域通過フィルタ５１８を通して受信端において放送サービスの信号に多重する再送信信号多重部を構成する。
【００５２】
図６は、図１中のデジタルＳＴＢの他の実施の形態における構成例を表すブロック図である。図６におけるデジタルＳＴＢの参照符号は５３０とし、既述の図４との各対応部は同一の参照符号を用いて示し、それらの説明は省略する。
図６のデジタルＳＴＢでは、図４の６４ＱＡＭチューナ５１３およびＯＦＤＭチューナ５１４に替えてコントローラ５５０の制御下で各自己の受信端に供給される（即ち、このデジタルＳＴＢ５３０の受信端で受け、加算器５１１および分配器５１２を介して夫々供給される）信号に対して全域走査よるチャンネル走査を実行する６４ＱＡＭチューナ５１３ｃおよびＯＦＤＭチューナ５１４ｃが適用されている。
【００５３】
このコントローラ５５０は、６４ＱＡＭチューナ５１３ｃおよびＯＦＤＭチューナ５１４ｃとの共働により、放送サービスの受信の当初において６４ＱＡＭチューナ５１３ｃおよびＯＦＤＭチューナ５１４ｃに対し全域走査よるチャンネル走査を実行させて既述の放送サービスに適用される第１群のチャンネル周波数帯域と放送サービスに適用されない第２群のチャンネル周波数帯域とを識別するチャンネル利用状況探索部を構成している。
【００５４】
また、６４ＱＡＭチューナ５１３ｃおよびＯＦＤＭチューナ５１４ｃは、供給された信号による放送サービスのうちから一の放送を選局し再生する選局再生部を構成している。
更に、図４におけるＲＦモジュレーター５１７および帯域通過フィルタ５１８に替えて、変調に係るＲＦの周波数およびフィルタの通過帯域が夫々コントローラ５５０によって上述のように識別された周波数帯域となるように制御されるＲＦモジュレーター５１７ｃおよび帯域通過フィルタ５１８ｃが適用される。
【００５５】
ＲＦモジュレーター５１７ｃは、既述のような放送サービスに適用されない第２群のチャンネル周波数帯域に該当する周波数帯域の搬送波を用いた再送信信号を形成する再送信信号形成部を構成し、加算器５１１は、再送信信号形成部から出力される再送信信号を
上記該当する周波数帯域を通過帯域とする帯域通過フィルタ５１８ｃを通して受信端において放送サービスの信号に多重する再送信信号多重部を構成する。これらの点は図４の実施の形態と略同様である。
【００５６】
図７は、図１におけるデジタルＳＴＢの更に他の構成例を表すブロック図である。図７におけるデジタルＳＴＢの参照符号は５４０とし、既述の図５との各対応部は同一の参照符号を用いて示し、それらの説明は省略する。
図７のデジタルＳＴＢでは、図５の６４ＱＡＭ／ＯＦＤＭチューナ５１３ｂに替えてコントローラ５６０の制御下で自己の受信端に供給される（即ち、このデジタルＳＴＢ５４０の受信端で受け、加算器５１１および分配器５１２を介して夫々供給される）信号に対して全域走査よるチャンネル走査を実行する６４ＱＡＭ／ＯＦＤＭチューナ５１３ｄが適用されている。
【００５７】
このコントローラ５６０は、６４ＱＡＭ／ＯＦＤＭチューナ５１３ｄとの共働により、放送サービスの受信の当初において６４ＱＡＭ／ＯＦＤＭチューナ５１３ｄに対し全域走査よるチャンネル走査を実行させて既述の放送サービスに適用される第１群のチャンネル周波数帯域と放送サービスに適用されない第２群のチャンネル周波数帯域とを識別するチャンネル利用状況探索部を構成している。
【００５８】
また、６４ＱＡＭ／ＯＦＤＭチューナ５１３ａおよび５１３ｄは、供給された信号による放送サービスのうちから一の放送を選局し再生する選局再生部を構成している。
更に、図５におけるＲＦモジュレーター５１７および帯域通過フィルタ５１８に替えて、変調に係るＲＦの周波数およびフィルタの通過帯域が夫々コントローラ５６０によって上述のように識別された周波数帯域となるように制御されるＲＦモジュレーター５１７ｃおよび帯域通過フィルタ５１８ｃが適用される。
【００５９】
ＲＦモジュレーター５１７ｃは、既述のような放送サービスに適用されない第２群のチャンネル周波数帯域に該当する周波数帯域の搬送波を用いた再送信信号を形成する再送信信号形成部を構成し、加算器５１１は、再送信信号形成部から出力される再送信信号を
上記該当する周波数帯域を通過帯域とする帯域通過フィルタ５１８ｃを通して受信端において放送サービスの信号に多重する再送信信号多重部を構成する。これらの点は図６の構成例と略同様である。
【００６０】
図６および図７を参照して説明した本発明のセットトップボックスの他の実施の形態は次のように要約される。
即ち、その受信端（図６、図７の加算器５１１の入力端）で、ケーブルテレビジョンの放送局から供給される所定の周波数帯の搬送波を用いた放送サービスの信号を受けるが、チャンネル利用状況探索部（５５０、５１３ｃ、５１４ｃ；５６０、５１３ｄ）により、受信端に供給される信号に対して全域走査よるチャンネル走査を実行して前記放送サービスに適用される第１群のチャンネル周波数帯域と前記放送サービスに適用されない第２群のチャンネル周波数帯域とを識別する。
【００６１】
選局再生部によって、前記受信端に供給された信号による放送サービスのうちから一の放送を選局し再生し、再送信信号形成部（５１７ｃ）によって、該再生された一のベースバンドの放送信号についてチャンネル利用状況探索部（５５０、５１３ｃ、５１４ｃ；５６０、５１３ｄ）で識別された第２群のチャンネルの周波数帯域に該当する周波数帯域の搬送波を用いた再送信信号を形成する。
【００６２】
再送信信号多重部（５１１）によって、再送信信号形成部（５１７ｃ）から出力される再送信信号を受信端において前記放送サービスの信号に多重する。
従って、このような単一のセットトップボックス（５３０；５４０）によって受信・再生される例えばＢＳ放送のような放送が前記放送サービスの信号に多重されて複数台のテレビジョン信号受信装置に分配され得るため、これらのテレビジョン信号受信装置で視聴乃至記録することが可能になる。
【００６３】
図８は、図４および図５の実施の形態のセットトップボックスの再送信動作を表すフローチャートである。
ユーザからの操作を受付ける図示されない操作部に対する選局操作が行われた否かを監視し（ステップＳ８０１）、選局操作が行われたことが検出されたときには（ステップＳ８０１：Ｙｅｓ）、次いで、その選局操作によって例えばＢＳ１，ＢＳ２等の特定のチャンネル（放送）が選択されたか否かが判断される（ステップＳ８０２）。
【００６４】
このステップＳ８０２で、ＢＳ１，ＢＳ２等の特定のチャンネル（放送）が選択されたと判断されたときには（ステップＳ８０２：Ｙｅｓ）、次のステップＳ８０３に移行し、これら特定のチャンネル（放送）が選択されていないと判断されたときには（ステップＳ８０２：Ｎｏ）、ステップＳ８０１に戻って次の選局操作の有無を監視する。
即ち、特定のチャンネル（放送）が選択されていないと判断されたときには（ステップＳ８０２：Ｎｏ）、次段以降のステップに移行しないため、再送信動作（ステップＳ８０５）は起動せず、セットトップボックスの入力端からＲＦの再送信信号が外部に配信されることはない。
【００６５】
ステップＳ８０３では、特定の放送の選局動作を行い、次いで、その放送を再送信するための周波数の設定を行う（ステップＳ８０４）。このステップＳ８０４での周波数の設定とは、図３を参照して説明したＣＡＴＶ放送局から送出されるテレビジョン信号の周波数アロケーションについて、ＶＨＦのLow  Bandに該当する第２の周波数帯域１２２のうちの所定の帯域が再送信信号のＲＦの周波数として割り当てられており、この周波数域を搬送周波数として用いるということである。
【００６６】
次いで、ステップＳ８０５ではステップＳ８０４で割り当てた周波数を用いて再送信信号形成部としてのＲＦモジュレーター５１７により上述のように割り当てられた周波数によるＲＦ再送信信号が形成され、帯域通過フィルタ５１８を通して受信端において放送サービスの信号に多重するという再送信が実行される。
再送信の実行中、ユーザからの再送信終了操作の有無を監視し（ステップＳ８０６）、再送信終了操作があったときには（ステップＳ８０６：Ｙｅｓ）、再送信を停止する（ステップＳ８０７）。再送信終了操作がない間は（ステップＳ８０６：Ｎｏ）、再送信を継続する。
【００６７】
図９は、図６および図７の実施の形態のセットトップボックスの再送信動作を表すフローチャートである。
動作のスタート後、直ちにコントローラ（５５０，５６０）を含む既述のチャンネル利用状況探索部（５５０、５１３ｃ、５１４ｃ；５６０、５１３ｄ）により、受信端に供給される信号に対して全域走査よるチャンネル走査を実行して（ステップＳ９０１）、放送サービスに適用される第１群のチャンネル周波数帯域と前記放送サービスに適用されない第２群のチャンネル周波数帯域とを識別し、テレビジョン信号の存在しない第２群の周波数帯域を記憶する（ステップＳ９０２）。
【００６８】
ステップＳ９０２に次いで、ユーザからの操作を受付ける図示されない操作部に対する選局操作が行われた否かを監視し（ステップＳ９０３）、選局操作が行われたことが検出されたときには（ステップＳ９０３：Ｙｅｓ）、次いで、その選局操作によって例えばＢＳ１，ＢＳ２等の特定のチャンネル（放送）が選択されたか否かが判断される（ステップＳ９０４）。
【００６９】
このステップＳ９０４で、ＢＳ１，ＢＳ２等の特定のチャンネル（放送）が選択されたと判断されたときには（ステップＳ９０４：Ｙｅｓ）、次のステップＳ９０５に移行し、これら特定のチャンネル（放送）が選択されていないと判断されたときには（ステップＳ９０４：Ｎｏ）、ステップＳ９０３に戻って次の選局操作の有無を監視する。
即ち、特定のチャンネル（放送）が選択されていないと判断されたときには（ステップＳ９０４：Ｎｏ）、次段以降のステップに移行しないため、再送信動作（ステップＳ９０７）は起動せず、セットトップボックスの入力端からＲＦの再送信信号が外部に配信されることはない。
【００７０】
ステップＳ９０５では、特定の放送の選局動作を行い、次いで、ステップＳ９０２で記憶されたテレビジョン信号の存在しない第２群の周波数帯域をその放送を再送信するための周波数として設定する（ステップＳ９０６）。
次いで、ステップＳ９０７ではステップＳ９０６で設定した周波数を用いて再送信信号形成部としてのＲＦモジュレーター５１７ｃにより上述のように設定した周波数を用いたＲＦ再送信信号が形成され、コントローラ（５５０，５６０）によって上記設定した周波数（帯域）をその通過帯域とするように設定された帯域通過フィルタ５１８ｃを通して受信端において放送サービスの信号に多重するという再送信が実行される。
【００７１】
再送信の実行中、ユーザからの再送信終了操作の有無を監視し（ステップＳ９０８）、再送信終了操作があったときには（ステップＳ９０８：Ｙｅｓ）、再送信を停止する（ステップＳ９０９）。再送信終了操作がない間は（ステップＳ９０８：Ｎｏ）、再送信を継続する。
図１０は、図８および図９の動作において適用される再送信信号の周波数帯域の設定方法について説明する図である。
【００７２】
図１０では、図３を参照して説明したＶＨＦのLow  Bandである信号制限帯域の部分を抽出して周波数を表す横軸を伸張して拡大表示してある。
この信号制限帯域中に、例えば、ケーブルテレビジョン放送サービスの信号の伝送には用いられない第２の周波数帯域１２２に属し、順に隣接して区分された、５チャンネルの帯域Ｂ１，Ｂ２，Ｂ３，Ｂ４，Ｂ５があるとき、再送信信号によるＢＳ１，ＢＳ２の放送に用いるＲＦ信号の帯域は、互いに隣接しないＢ２およびＢ４の帯域に設定する。
再送信信号のＲＦ周波数をこのように選択することによって混信の虞のない配信が可能になる。
【図面の簡単な説明】
【００７３】
【図１】本発明の実施の形態としてのケーブルテレビジョン放送配信方法を表す概念図である。
【図２】図１におけるＣＡＴＶ放送局の構成を表すブロック図である。
【図３】図２のＣＡＴＶ放送局から送出されるテレビジョン信号の周波数アロケーションを表す図である。
【図４】図１中のデジタルＳＴＢの一の実施の形態における構成例を表すブロック図である。
【図５】図１におけるデジタルＳＴＢの他の構成例を表すブロック図である。
【図６】図１中のデジタルＳＴＢの他の実施の形態における構成例を表すブロック図である。
【図７】図１におけるデジタルＳＴＢの更に他の構成例を表すブロック図である。
【図８】図4および図５の実施の形態のセットトップボックスの再送信動作を表すフローチャートである。
【図９】図６および図７の実施の形態のセットトップボックスの再送信動作を表すフローチャートである。
【図１０】図８および図９の動作において適用される再送信信号の周波数帯域の設定方法について説明する図である。
【符号の説明】
【００７４】
１１０…ＣＡＴＶ放送局  １１１…ＢＳ−ＩＦ発生部  １１２…複数ＴＳ多重化処理部  １１３…６４ＱＡＭ変調部  １１４…６４ＱＡＭ変調部  １１５…地上デジタルＲＦ発生部  １１６…周波数変換部  １１７…混合処理部  １１８…帯域通過フィルタ  １２１…第１の周波数帯域  １２２…第２の周波数帯域  ２１０…ブースターアンプ    ３１０…分配器  ４１０…テレビジョン受像機（Ａ）  ４２０…テレビジョン受像機（Ｂ）  ５１０…デジタルセットトップボックス  ５１１…加算器  ５１２…分配器  ５１３…６４ＱＡＭチューナ  ５１３ａ…６４ＱＡＭ／ＯＦＤＭチューナ  ５１３ｂ…６４ＱＡＭ／ＯＦＤＭチューナ  ５１３ｃ…６４ＱＡＭチューナ  ５１３ｄ…６４ＱＡＭ／ＯＦＤＭチューナ  ５１４…ＯＦＤＭチューナ  ５１４ｃ…ＯＦＤＭチューナ  ５１５…デジタル画像処理部  ５１６ａ…映像出力部（１）５１６ｂ…映像出力部（２）  ５１６ｃ…映像出力部（３）  ５１７…ＲＦモジュレーター  ５１７ｃ…ＲＦモジュレーター  ５１８…帯域通過フィルタ  ５１８ｃ…帯域通過フィルタ  ５２０…デジタルＳＴＢ  ５３０…デジタルＳＴＢ  ５４０…デジタルＳＴＢ  ５５０…コントローラ  ５６０…コントローラ  ６１０…家庭内システム
【図１】
2007158986.tif 000003
【図２】
2007158986.tif 000004
【図３】
2007158986.tif 000005
【図４】
2007158986.tif 000006
【図５】
2007158986.tif 000007
【図６】
2007158986.tif 000008
【図７】
2007158986.tif 000009
【図８】
2007158986.tif 000010
【図９】
2007158986.tif 000011
【図１０】
2007158986.tif 000012